(57)【要約】【課題】複数の手順を踏む必要があり、煩わしいし、もともとの画面の一部が非表示となるので、重要な画面を見損なう危険性がある。【解決手段】キャプチャボード２３にてテレビ放送画面である主画面を生成し（主画面生成手段）、オペレーティングシステムを介して上記主画面をモニタ２２にて全画面表示で表示（全画面表示手段）させているとき、同オペレーティングシステムを介してマウス１９の移動操作を検知して、所定の第一の移動であるか否かを判断するとともに（第一マウス操作判断手段、ステップＳ１００〜Ｓ１２５）、上記主画面について全画面表示中か否かを検知し（全画面表示検知手段、ステップＳ１３０，Ｓ１３５）、全画面表示中、上記第一の移動であると判断されたときに、所定の副画面を画面に表示するとともに、上記主画面を画面の残余の範囲内で全部を表示できるように縮小して表示する（複合表示手段、ステップＳ１４０〜Ｓ１５５）。【選択図】図２
2007148783.tif 000002
【特許請求の範囲】
【請求項１】
マウスの操作を受付可能でモニタの画面に全画面表示と枠内表示とを選択的に実行可能なコンピュータの画像表示装置であって、
所定の主画面を生成する主画面生成手段と、
上記主画面を全画面表示で表示させる全画面表示手段と、
上記マウスの移動操作を検知して、所定の第一の移動であるか否かを判断する第一マウス操作判断手段と、
上記主画面について全画面表示中か否かを検知する全画面表示検知手段と、
全画面表示中、上記第一の移動であると判断されたときに、所定の副画面を画面に表示するとともに、上記主画面を画面の残余の範囲内で全部を表示できるように縮小して表示する複合表示手段とを具備することを特徴とするコンピュータの画像表示装置。
【請求項２】
上記複合表示手段が上記主画面に加えて上記副画面を表示する複合表示中か否かを検知する複合表示検知手段と、
上記マウスの移動操作を検知して、所定の第二の移動であるか否かを判断する第二マウス操作判断手段と、
複合表示中、上記第二の移動であると判断されたときに、上記全画面表示手段にて上記主画面を全画面表示で表示させる全画面復帰制御手段とを具備することを特徴とする上記請求項１に記載のコンピュータの画像表示装置。
【請求項３】
上記第一マウス操作判断手段と、上記第二マウス操作判断手段は、所定の複数の位置情報を取得する手段を有するとともに、上記マウスの移動操作に伴うマウスカーソルの現在位置を取得し、各位置情報と一致するか否かを判断することを特徴とする上記請求項１または請求項２のいずれかに記載のコンピュータの画像表示装置。
【請求項４】
上記第一の移動は、上記マウスの移動操作が上記画面の四辺に近い位置への移動であることを特徴とする上記請求項１〜請求項３のいずれかに記載のコンピュータの画像表示装置。
【請求項５】
上記第一の移動は、上記画面の二辺が接する位置近傍への移動であるときに二辺のいずれかを優先させることを特徴とする上記請求項４に記載のコンピュータの画像表示装置。    
【請求項６】
上記複合表示手段は、上記画面の四辺のそれぞれに対応した別の副画面を表示させることを特徴とする上記請求項４または請求項５のいずれかに記載のコンピュータの画像表示装置。
【請求項７】
上記複合表示手段は、上記副画面を上記画面のいずれかの辺に近傍する位置に表示するとともに、残余の領域の縦横の大きさを検知し、上記主画面の縦横の比を維持したまま最大限に大きく表示できる縮小サイズを演算し、同縮小サイズで上下左右の残余を略均等にして表示させることを特徴とする上記請求項１〜請求項６のいずれかに記載のコンピュータの画像表示装置。
【請求項８】
上記主画面生成手段は、テレビ放送を受信してテレビ放送画面を生成することを特徴とする上記請求項１〜請求項７のいずれかに記載のコンピュータの画像表示装置。
【請求項９】
上記複合表示手段は、上記副画面として、上記テレビ放送の視聴に関するサブメニュー画面を生成することを特徴とする上記請求項８に記載のコンピュータの画像表示装置。
【請求項１０】
上記サブメニューは、番組表を表示して録画予約操作を受け付けるものであることを特徴とする上記請求項９に記載のコンピュータの画像表示装置。
【請求項１１】
上記第一の移動は、上記画面の下方への移動であり、上記サブメニューは、同画面の下方に表示されることを特徴とする上記請求項１０に記載のコンピュータの画像表示装置。    
【請求項１２】
上記主画面生成手段は、個別にテレビ放送を受信する複数のキャプチャボードであることを特徴とする上記請求項８〜請求項１１のいずれかに記載のコンピュータの画像表示装置。
【請求項１３】
上記サブメニューは、複数のキャプチャボードの情報の表示と、同キャプチャボードの設定操作を受け付けるものであることを特徴とする上記請求項１２に記載のコンピュータの画像表示装置。
【請求項１４】
上記第一の移動は、上記画面の右方への移動であり、上記サブメニューは、同画面の右方に表示されることを特徴とする上記請求項１３に記載のコンピュータの画像表示装置。    
【請求項１５】
上記サブメニューは、複数のキャプチャボードで受信するテレビ放送の静止画画面を表示するものであることを特徴とする上記請求項１２〜請求項１４のいずれかに記載のコンピュータの画像表示装置。
【請求項１６】
上記第一の移動は、上記画面の左方への移動であり、上記サブメニューは、同画面の左方に表示されることを特徴とする上記請求項１５に記載のコンピュータの画像表示装置。    
【請求項１７】
上記サブメニューは、上記主画面の色調調整操作を受け付けるものであることを特徴とする上記請求項８〜請求項１６のいずれかに記載のコンピュータの画像表示装置。
【請求項１８】
上記第一の移動は、上記画面の上方への移動であり、上記サブメニューは、同画面の上方に表示されることを特徴とする上記請求項１７に記載のコンピュータの画像表示装置。    
【請求項１９】
マウスの操作を受付可能でモニタの画面に全画面表示と枠内表示とを選択的に実行可能なコンピュータの画像表示方法であって、
所定の主画面を生成し、
上記主画面を全画面表示で表示させ、
上記マウスの移動操作を検知して、所定の第一の移動であるか否かを判断するとともに、
上記主画面について全画面表示中か否かを検知し、
全画面表示中、上記第一の移動であると判断されたときに、所定の副画面を画面に表示するとともに、上記主画面を画面の残余の範囲内で全部を表示できるように縮小して表示することを特徴とするコンピュータの画像表示方法。
【請求項２０】
上記主画面に加えて上記副画面を表示する複合表示中か否かを検知するとともに、
上記マウスの移動操作を検知して、所定の第二の移動であるか否かを判断し、
複合表示中、上記第二の移動であると判断されたときに、上記主画面を全画面表示で表示させることを特徴とする上記請求項１９に記載のコンピュータの画像表示方法。
【請求項２１】
マウスの操作を受付可能でモニタの画面に全画面表示と枠内表示とを選択的に実行可能なコンピュータの画像表示プログラムを記録した媒体であって、
所定の主画面を生成する主画面生成機能と、
上記主画面を全画面表示で表示させる全画面表示機能と、
上記マウスの移動操作を検知して、所定の第一の移動であるか否かを判断する第一マウス操作判断機能と、
上記主画面について全画面表示中か否かを検知する全画面表示検知機能と、
全画面表示中、上記第一の移動であると判断されたときに、所定の副画面を画面に表示するとともに、上記主画面を画面の残余の範囲内で全部を表示できるように縮小して表示する複合表示機能とをコンピュータに実現させる画像表示プログラムを記録した媒体。
【請求項２２】
上記複合表示機能が上記主画面に加えて上記副画面を表示する複合表示中か否かを検知する複合表示検知機能と、
上記マウスの移動操作を検知して、所定の第二の移動であるか否かを判断する第二マウス操作判断機能と、
複合表示中、上記第二の移動であると判断されたときに、上記全画面表示手段にて上記主画面を全画面表示で表示させる全画面復帰制御機能とをコンピュータに実現させることを特徴とする上記請求項２１に記載のコンピュータの画像表示プログラムを記録した媒体。
【発明の詳細な説明】
【技術分野】
【０００１】
この発明は、コンピュータの画像表示装置、画像表示方法、画像表示プログラムを記録した媒体に関する。
【背景技術】
【０００２】
従来、コンピュータでは、マウスの操作を受付可能であり、各種の表示を行っている。表示の態様として、全画面表示と枠内表示とを選択的に実行可能なものがある。全画面表示は、アプリケーションなどが生成する本来の画面情報をモニタの画面領域全部を使って表示するものであり、それ以外の枠部は特に表示しない。一方、枠内表示はそのようにして生成する画面の周りに枠を形成して表示するとともに、複数の枠内表示がモニタの画面領域に互いに重ね合わせて表示される。また、枠部分にも操作領域が形成され、枠に対する操作が可能となっている。
【０００３】
近年ではキャプチャボードを接続してテレビ放送を受信し、テレビ放送の画面をモニタで表示したり、テレビ放送自体を動画ファイルに変換して記録することが行われている。  枠内表示であれば、テレビ放送の画面と、操作領域の画面とを別個にモニタの画面領域で表示させ、操作領域には、テレビ放送に関して番組表を表示させたり、複数のキャプチャボードの設定操作パネルを表示することも可能である。
一方、テレビ放送を全画面表示すると、あたかもテレビと同様となり、コンピュータを操作しているのとは異なる感覚で視聴することができて満足感が向上する。しかし、全画面表示していると他の操作領域を表示できないので、何かの操作をするときには、二つの方法がある。
【０００４】
一つめは、一旦、枠内表示に戻し、操作領域が表示されている枠内で対応する操作を行うことである。この場合、枠内表示に戻す操作と、枠内表示同士が重なり合う状況では、必要な操作領域が全て表示されるようにモニタの画面領域上に置かれている枠内表示同士を整理する操作が必要となる。なお、複数の枠内表示を調整する手法として通常のアプリケーションでの画面に関して特許文献１に示すものが知られている。
【０００５】
二つ目は、全画面表示の状態で、マウスを右クリックし、それに伴ってポップアップ表示されるサブメニューをたどって必要な操作領域を表示させたり、階層を辿って必要な操作を完了させる。この場合、最初の右クリックに加え、必要な操作領域を選択するための操作などが必要となる。
【特許文献１】特開２００２−１６３０５７号公報
【発明の開示】
【発明が解決しようとする課題】
【０００６】
ところで、前者に示す方法でも、後者に示す方法でも、複数の手順を踏む必要があり、選択を間違えやすい。また、そのような操作が終わったときに、元の画面表示に戻す操作も必要であり、煩わしい。
さらに、複数の枠内表示が重なり合う場合や、全画面表示の上にサブメニューを表示させる場合など、もともとの画面の一部が非表示となるので、重要な画面を見損なう危険性がある。
本発明は、上記課題にかんがみてなされたもので、操作を減らしつつ、もともとの画面の重要な部分を見損なうことを防止することが可能なコンピュータの画像表示装置、コンピュータの画像表示方法およびコンピュータの画像表示プログラムを記録した媒体の提供を目的とする。
【課題を解決するための手段】
【０００７】
上記目的を達成するため、請求項１にかかる発明は、マウスの操作を受付可能でモニタの画面に全画面表示と枠内表示とを選択的に実行可能なコンピュータの画像表示装置であって、所定の主画面を生成する主画面生成手段と、上記主画面を全画面表示で表示させる全画面表示手段と、上記マウスの移動操作を検知して、所定の第一の移動であるか否かを判断する第一マウス操作判断手段と、上記主画面について全画面表示中か否かを検知する全画面表示検知手段と、全画面表示中、上記第一の移動であると判断されたときに、所定の副画面を画面に表示するとともに、上記主画面を画面の残余の範囲内で全部を表示できるように縮小して表示する複合表示手段とを具備する構成としてある。
【０００８】
上記のように構成した請求項１にかかる発明においては、主画面生成手段で所定の主画面を生成し、全画面表示手段が上記主画面を全画面表示で表示させる。
一方、第一マウス操作判断手段は、上記マウスの移動操作を検知して、所定の第一の移動であるか否かを判断しており、これと並行して全画面表示検知手段は、上記主画面について全画面表示中か否かを検知している。そして、全画面表示中、上記第一の移動であると判断されたときに、複合表示手段は、所定の副画面を画面に表示するとともに、上記主画面を画面の残余の範囲内で全部を表示できるように縮小して表示する。
【０００９】
また、請求項２にかかる発明は、請求項１に記載のコンピュータの画像表示装置において、上記複合表示手段が上記主画面に加えて上記副画面を表示する複合表示中か否かを検知する複合表示検知手段と、上記マウスの移動操作を検知して、所定の第二の移動であるか否かを判断する第二マウス操作判断手段と、複合表示中、上記第二の移動であると判断されたときに、上記全画面表示手段にて上記主画面を全画面表示で表示させる全画面復帰制御手段とを具備する構成としてある。
【００１０】
上記のように構成した請求項２にかかる発明においては、複合表示検知手段で、上記複合表示手段が上記主画面に加えて上記副画面を表示する複合表示中か否かを検知するとともに、第二マウス操作判断手段は、上記マウスの移動操作を検知して、所定の第二の移動であるか否かを判断している。そして、複合表示中、上記第二の移動であると判断されたときに、全画面復帰制御手段が、上記全画面表示手段にて上記主画面を全画面表示で表示させる。
【００１１】
さらに、請求項３にかかる発明は、上記請求項１または請求項２のいずれかに記載のコンピュータの画像表示装置において、上記第一マウス操作判断手段と、上記第二マウス操作判断手段は、所定の複数の位置情報を取得する手段を有するとともに、上記マウスの移動操作に伴うマウスカーソルの現在位置を取得し、各位置情報と一致するか否かを判断する構成としてある。
【００１２】
上記のように構成した請求項３にかかる発明においては、予め副画面を表示させるきっかけとなる所定の複数の位置情報を取得し、上記マウスの移動操作に伴うマウスカーソルの現在位置を取得し、各位置情報と一致するか否かを判断する。
【００１３】
さらに、請求項４にかかる発明は、上記請求項１〜請求項３のいずれかに記載のコンピュータの画像表示装置において、上記第一の移動は、上記マウスの移動操作が上記画面の四辺に近い位置への移動である構成としてある。
【００１４】
上記のように構成した請求項４にかかる発明においては、マウス操作として画面の四辺に近い位置へ移動させると、第一の移動と判断され、複合画面表示となる。ここで、四辺に近い位置への移動とは、移動後の現在位置に基づいて判断しても良いし、移動の経緯を見て移動方向を判断し、四辺に向かう移動方向であれば四辺に近い位置への移動と判断しても良い。
【００１５】
さらに、請求項５にかかる発明は、上記請求項４に記載のコンピュータの画像表示装置において、上記第一の移動は、上記画面の二辺が接する位置近傍への移動であるときに二辺のいずれかを優先させる構成としてある。
【００１６】
上記のように構成した請求項５にかかる発明においては、上記画面の二辺が接する位置近傍への移動であるときに二辺のいずれかを優先させる。例えば、右下角への移動があったような場合、右辺に近づく移動と判断するか、下方に近づく移動と判断するかのいずれかとなるが、このような場合に、一般には下方への移動に伴う副画面の操作の方が頻度が高いのであれば、下辺への移動と判断するというように優先させることが可能となる。
【００１７】
さらに、請求項６にかかる発明は、上記請求項４または請求項５のいずれかに記載のコンピュータの画像表示装置において、上記複合表示手段は、上記画面の四辺のそれぞれに対応した別の副画面を表示させる構成としてある。
【００１８】
上記のように構成した請求項６にかかる発明においては、画面には四辺があり、複合表示手段は、マウス操作に基づいてそれぞれに対応した別の副画面を表示させる。
【００１９】
さらに、請求項７にかかる発明は、上記請求項１〜請求項６のいずれかに記載のコンピュータの画像表示装置において、上記複合表示手段は、上記副画面を上記画面のいずれかの辺に近傍する位置に表示するとともに、残余の領域の縦横の大きさを検知し、上記主画面の縦横の比を維持したまま最大限に大きく表示できる縮小サイズを演算し、同縮小サイズで上下左右の残余を略均等にして表示させる構成としてある。
【００２０】
上記のように構成した請求項７にかかる発明においては、上記複合表示手段は、上記副画面を上記画面のいずれかの辺に近傍する位置に表示する。この際、残余の領域の縦横の大きさを検知し、上記主画面の縦横の比を維持したまま最大限に大きく表示できる縮小サイズを演算し、同縮小サイズで上下左右の残余を略均等にして表示させる。
【００２１】
さらに、請求項８にかかる発明は、上記請求項１〜請求項７のいずれかに記載のコンピュータの画像表示装置において、上記主画面生成手段は、テレビ放送を受信してテレビ放送画面を生成する構成としてある。
【００２２】
上記のように構成した請求項８にかかる発明においては、上記主画面生成手段は、テレビ放送を受信してテレビ放送画面を生成する。
【００２３】
さらに、請求項９にかかる発明は、上記請求項８に記載のコンピュータの画像表示装置において、上記複合表示手段は、上記副画面として、上記テレビ放送の視聴に関するサブメニュー画面を生成する構成としてある。
【００２４】
上記のように構成した請求項９にかかる発明においては、上記複合表示手段は、上記副画面として、上記テレビ放送の視聴に関するサブメニュー画面を生成する。
【００２５】
さらに、請求項１０にかかる発明は、上記請求項９に記載のコンピュータの画像表示装置において、上記サブメニューは、番組表を表示して録画予約操作を受け付ける構成としてある。
【００２６】
上記のように構成した請求項１０にかかる発明においては、上記サブメニューは、番組表を表示して録画予約操作を受け付ける。
【００２７】
さらに、請求項１１にかかる発明は、上記請求項１０に記載のコンピュータの画像表示装置において、上記第一の移動は、上記画面の下方への移動であり、上記サブメニューは、同画面の下方に表示される構成としてある。
【００２８】
上記のように構成した請求項１１にかかる発明においては、マウス操作で画面の下方への移動を行なうと、上記第一の移動と判断され、上記サブメニューは、マウス操作を行った画面の端である同画面の下方に表示される。
【００２９】
さらに、請求項１２にかかる発明は、上記請求項８〜請求項１１のいずれかに記載のコンピュータの画像表示装置において、上記主画面生成手段は、個別にテレビ放送を受信する複数のキャプチャボードで構成してある。
【００３０】
上記のように構成した請求項１２にかかる発明においては、個別にテレビ放送を受信する複数のキャプチャボードが上記主画面生成手段として備えられ、それぞれで個別に受信したテレビ放送に基づく画面を主画面として生成する。
【００３１】
さらに、請求項１３にかかる発明は、上記請求項１２に記載のコンピュータの画像表示装置において、上記サブメニューは、複数のキャプチャボードの情報の表示と、同キャプチャボードの設定操作を受け付ける構成としてある。
【００３２】
上記のように構成した請求項１３にかかる発明においては、複数のキャプチャボードが備えられており、それぞれに個別の設定が必要となる。このため、上記サブメニューは、複数のキャプチャボードの情報の表示と、同キャプチャボードの設定操作を受け付ける。  
【００３３】
さらに、請求項１４にかかる発明は、上記請求項１３に記載のコンピュータの画像表示装置において、上記第一の移動は、上記画面の右方への移動であり、上記サブメニューは、同画面の右方に表示される構成としてある。
【００３４】
上記のように構成した請求項１４にかかる発明においては、マウス操作で画面の右方への移動を行なうと、上記第一の移動と判断され、上記サブメニューは、マウス操作を行った画面の端である同画面の右方に表示される。
【００３５】
さらに、請求項１５にかかる発明は、上記請求項１２〜請求項１４のいずれかに記載のコンピュータの画像表示装置において、上記サブメニューは、複数のキャプチャボードで受信するテレビ放送の静止画画面を表示する構成としてある。
【００３６】
上記のように構成した請求項１５にかかる発明においては、複数のキャプチャボードが備えられており、それぞれに個別のテレビ放送を受信しているので、上記サブメニューは、複数のキャプチャボードで受信するテレビ放送の静止画画面を表示する。
【００３７】
さらに、請求項１６にかかる発明は、上記請求項１５に記載のコンピュータの画像表示装置において、上記第一の移動は、上記画面の左方への移動であり、上記サブメニューは、同画面の左方に表示される構成としてある。
【００３８】
上記のように構成した請求項１６にかかる発明においては、マウス操作で画面の左方への移動を行なうと、上記第一の移動と判断され、上記サブメニューは、マウス操作を行った画面の端である同画面の左方に表示される。
【００３９】
さらに、請求項１７にかかる発明は、上記請求項８〜請求項１６のいずれかに記載のコンピュータの画像表示装置において、上記サブメニューは、上記主画面の色調調整操作を受け付ける構成としてある。
【００４０】
上記のように構成した請求項１７にかかる発明においては、上記サブメニューは、上記主画面の色調調整操作を受け付ける。
【００４１】
さらに、請求項１８にかかる発明は、上記請求項１７に記載のコンピュータの画像表示装置において、上記第一の移動は、上記画面の上方への移動であり、上記サブメニューは、同画面の上方に表示される構成としてある。
【００４２】
上記のように構成した請求項１８にかかる発明においては、マウス操作で画面の上方への移動を行なうと、上記第一の移動と判断され、上記サブメニューは、マウス操作を行った画面の端である同画面の上方に表示される。
【００４３】
このように、マウス操作と連動して副画面を表示しつつ、主画面は隠されることなく縮小する手法は必ずしも実体のある装置に限られる必要はなく、その方法としても機能することは容易に理解できる。このため、請求項１９にかかる発明は、マウスの操作を受付可能でモニタの画面に全画面表示と枠内表示とを選択的に実行可能なコンピュータの画像表示方法であって、所定の主画面を生成し、上記主画面を全画面表示で表示させ、上記マウスの移動操作を検知して、所定の第一の移動であるか否かを判断するとともに、上記主画面について全画面表示中か否かを検知し、全画面表示中、上記第一の移動であると判断されたときに、所定の副画面を画面に表示するとともに、上記主画面を画面の残余の範囲内で全部を表示できるように縮小して表示する構成としてある。
【００４４】
また、請求項２０にかかる発明は、上記請求項１９に記載のコンピュータの画像表示方法において、上記主画面に加えて上記副画面を表示する複合表示中か否かを検知するとともに、上記マウスの移動操作を検知して、所定の第二の移動であるか否かを判断し、複合表示中、上記第二の移動であると判断されたときに、上記主画面を全画面表示で表示させる構成としてある。
【００４５】
すなわち、必ずしも実体のある装置に限らず、その方法としても有効であることに相違はない。
ところで、このようなコンピュータの画像表示装置は単独で存在する場合もあるし、ある機器に組み込まれた状態で利用されることもあるなど、発明の思想としてはこれに限らず、各種の態様を含むものである。従って、ソフトウェアであったりハードウェアであったりするなど、適宜、変更可能である。
【００４６】
発明の思想の具現化例としてコンピュータの画像表示装置のソフトウェアとなる場合には、かかるソフトウェアを記録した記録媒体上においても当然に存在し、利用されるといわざるをえない。
その一例として、請求項２１にかかる発明は、マウスの操作を受付可能でモニタの画面に全画面表示と枠内表示とを選択的に実行可能なコンピュータの画像表示プログラムを記録した媒体であって、所定の主画面を生成する主画面生成機能と、上記主画面を全画面表示で表示させる全画面表示機能と、上記マウスの移動操作を検知して、所定の第一の移動であるか否かを判断する第一マウス操作判断機能と、上記主画面について全画面表示中か否かを検知する全画面表示検知機能と、全画面表示中、上記第一の移動であると判断されたときに、所定の副画面を画面に表示するとともに、上記主画面を画面の残余の範囲内で全部を表示できるように縮小して表示する複合表示機能とをコンピュータに実現させる構成としてある。
【００４７】
また、請求項２２にかかる発明は、上記請求項２１に記載のコンピュータの画像表示装置において、上記複合表示機能が上記主画面に加えて上記副画面を表示する複合表示中か否かを検知する複合表示検知機能と、上記マウスの移動操作を検知して、所定の第二の移動であるか否かを判断する第二マウス操作判断機能と、複合表示中、上記第二の移動であると判断されたときに、上記全画面表示手段にて上記主画面を全画面表示で表示させる全画面復帰制御機能とをコンピュータに実現させる構成としてある。
【００４８】
むろん、その記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。その他、供給方法として通信回線を利用して行なう場合でも本発明が利用されていることにはかわりない。
【００４９】
さらに、一部がソフトウェアであって、一部がハードウェアで実現されている場合においても発明の思想において全く異なるものではなく、一部を記録媒体上に記憶しておいて必要に応じて適宜読み込まれるような形態のものとしてあってもよい。
【００５０】
本発明をソフトウェアで実現する場合、ハードウェアやオペレーティングシステムを利用する構成とすることも可能であるし、これらと切り離して実現することもできる。例えば、各種の演算処理といっても、その実現方法はオペレーティングシステムにおける所定の関数を呼び出して処理することも可能であれば、このような関数を呼び出すことなくハードウェアから入力することも可能である。そして、実際にはオペレーティングシステムの介在のもとで実現するとしても、プログラムが媒体に記録されて流通される過程においては、このプログラムだけで本発明を実施できるものと理解することができる。
【００５１】
また、本発明をソフトウェアで実施する場合、発明がプログラムを記録した媒体として実現されるのみならず、本発明がプログラム自体として実現されるのは当然であり、プログラム自体も本発明に含まれる。
【発明の効果】
【００５２】
以上説明したように本発明は、マウスの移動操作と連動して副画面を表示しつつ、主画面は隠されることなく縮小するので、マウス操作のボタンクリックなど余分な操作をすることなく所定の操作画面を表示でき、また、その際に本来視聴している主画面を縮小して隠れないようにしたので重要な画面を見損なうことも防止することが可能なコンピュータの画像表示装置を提供することができる。
【００５３】
また、請求項２にかかる発明によれば、マウスの移動操作だけで副画面を見えなくして主画面の全画面表示に復帰させることができ、煩わしくない。
さらに、請求項３にかかる発明によれば、現在位置を取得し、各位置情報と一致するか否かを判断するので、移動操作を容易に判断することができる。
さらに、請求項４にかかる発明によれば、画面の四辺に近い位置への移動を判断するので操作が簡単にすることができる。
さらに、請求項５にかかる発明によれば、画面の二辺が接する位置近傍への移動であるときに二辺のいずれかを優先させ、操作に誤りが生じにくくすることができる。
さらに、請求項６にかかる発明によれば、画面の四辺のそれぞれに対応した別の副画面を表示させることで四つまでの副画面を直感的に操作させることができ、操作を容易にすることができる。
さらに、請求項７にかかる発明によれば、副画面を画面のいずれかの辺に近傍する位置に表示しつつ、残余の領域の中央に最大限に大きく表示することができ、表示領域を無駄にしないようにすることができる。
さらに、請求項８にかかる発明によれば、テレビ放送画面を表示することができる。
さらに、請求項９にかかる発明によれば、テレビ放送の視聴に関するサブメニュー画面を直感的に操作できるにすることができる。
さらに、請求項１０にかかる発明によれば、番組表を表示して録画予約操作を受け付けることができる。
さらに、請求項１１にかかる発明によれば、マウスを画面の下方へ移動させると番組表を表示させることができる。
さらに、請求項１２にかかる発明によれば、複数のキャプチャボードで個別にテレビ放送を受信することができる。
さらに、請求項１３にかかる発明によれば、複数のキャプチャボードの情報の表示と、同キャプチャボードの設定操作を受け付けることができる。
さらに、請求項１４にかかる発明によれば、マウスを画面の右方へ移動させると複数のキャプチャボードの情報を表示させることができる。
さらに、請求項１５にかかる発明によれば、複数のキャプチャボードで受信するテレビ放送の静止画画面を表示することができる。
さらに、請求項１６にかかる発明によれば、マウスを画面の左方へ移動させると複数のキャプチャボードで受信したテレビ放送の静止画画面を表示することができる。
さらに、請求項１７にかかる発明によれば、主画面の色調調整操作を受け付けることができる。
さらに、請求項１８にかかる発明によれば、マウスを画面の上方へ移動させる主画面の色調調整操作を行うことができる。
さらに、請求項１９と請求項２０にかかる発明によれば、同様の効果を奏するコンピュータの画像表示方法を提供でき、請求項２１と請求項２２にかかる発明によれば、同様の効果を奏するコンピュータの画像表示プログラムを記録した媒体を提供できる。
【発明を実施するための最良の形態】
【００５４】
以下、本発明の実施形態について以下の順序で説明する。
（１）ハードウェア構成
図１は、本発明のコンピュータの画像表示装置が適用されるコンピュータのハードウェア構成をブロック図により示している。むろん、動画像表示装置が順次処理を実行していく過程で画像表示方法を実施していることになり、また、かかる処理をソフトウェア的に実施しているので画像表示プログラムの存在が前提となることはいうまでもない。なお、かかるプログラムは光ディスクやハードディスクなどの記録媒体に記録されている。
【００５５】
同図において、ＣＰＵ１１はバス１２を介してＲＡＭ１３、ＲＯＭ１４と接続されている。バス１２にはハードディスクドライブ１５や、光ディスクドライブ１６といった、不揮発性の記憶デバイスも接続されている。バス１２には、コンピュータに指示を与えるためのヒューマンインターフェイス１７を介してキーボード１８やマウス１９が接続され、演算の結果で生成した画面はグラフィックボード２１を介してモニタ２２上に表示される。本実施形態では、テレビ放送画面を生成するためにキャプチャボード２３が接続されている。
【００５６】
マウス１９は、移動量と移動方向を検知しつつ、上面に備えられたマウスボタンのオンオフ操作が可能である。ボールの回転によるもの、光学的によるものなど、各種のものを適用可能である。マウスボタンは１ボタンのものからより多数のものまで各種のものが利用可能である。マウスの移動操作は、広義に介することができ、マウスのみでなく、スティックタイプの傾動動作も同様に適用可能である。
【００５７】
キャプチャボード２３は、バス１２に接続されるタイプのものや、ユニバーサルシリアスバス（ＵＳＢと呼ぶ）などを介して外部のキャプチャボードを接続できるようにするものなどがあり、特に限定されるものではない。本実施形態では、キャプチャボード２３が主画面を生成する主画面生成手段を実現する。ただし、主画面生成手段はこれに限られるものではなく、例えば、株価のリアルタイム表示装置などでもよい。
【００５８】
モニタ２２には、アプリケーションやオペレーティングシステムで生成される画面に加え、ＣＰＵ１１により演算された位置にマウスカーソルも表示する。マウスカーソルの表示はＣＰＵ１１によって演算されて生成されても良いし、ハードウェア回路によって生成されて本来の画面上に表示されるようにしても良い。マウスカーソルの表示はオンオフできるのが一般的である。
【００５９】
ＣＰＵ１１は、ハードディスクドライブ１５や光ディスクドライブ１６から読み込まれるオペレーティングシステムを実行し、当該オペレーティングシステムから各種のアプリケーションやドライバなどを実行する。各種のプログラムによってＣＰＵはさまざまな機能をソフトウェア的に実現可能である。このような機能はソフトウェアによるもののみならず、ハードウェア的にも同様に実現できる。
【００６０】
本オペレーティングシステムは、画面表示として、全画面表示と枠内表示が実行可能である。全画面表示は一切の枠は表示されない。また、画面の四辺にマウスカーソルを移動させてもタスクバーは表示されない。枠内表示では、複数の枠内表示を所定の順序で重なり合うように表示することが可能である。枠内表示といっても、現実には枠を非表示とすることも可能であり、その意味では複数の表示画面を上下関係を持たせつつ任意の位置に表示することに相当する。枠内表示のモードであるのか、全画面表示のモードであるのかは、オペレーティングシステムの所定のパラメータとして保持しており、同パラメータを読み込むことで判別可能である。また、オペレーティングシステムはマウス操作を逐次判断しており、マウスカーソルの現在位置の情報やマウスボタンの操作状況なども、所定のパラメータとして保持しており、同パラメータを読み込むことで判別可能である。
【００６１】
（２）ソフトウェア構成：主画面と副画面の複合表示
図２は、本発明のコンピュータの画像表示装置の一部を実現するソフトウェアをフローチャートにより示している。なお、このフローチャートを実施する前提として、本コンピュータではキャプチャボードで生成されるテレビ放送画面をモニタ２２にて表示しているものとする。
【００６２】
図２において、ステップＳ１００では、マウスカーソル位置の規定範囲情報をｎ個読み込む。マウスカーソルの現在位置に応じてマウスの移動操作を判断するために、予め移動位置を所定の範囲として複数の規定位置情報を用意してある。本実施形態では一例として画面の四つの辺に向けてマウスを移動操作した場合にそれぞれに別メニューを副画面として表示させることとしており、図３に示すように四つの規定範囲を規定してある。
【００６３】
マウスカーソルの位置は画面の左上を原点（０，０）として右方向にＸ軸、下方向にＹ軸として座標表示して表す。図３に示す例では、優先度の最も高い規定範囲として、範囲は（Ｘ10，Ｙ10）と（Ｘ11，Ｙ11）の二つの座標で左上角と右下角を対角として特定される矩形領域を規定してあり、かつ、この矩形領域に対応させて表示する副画面はメニュー１である。例えば、画面が１２８０×１０２４ピクセルであるとすると、（０，９６０）−（１２７９，１０２３）の矩形領域としてあることで、下辺の左端から右端まで下端から上方に６４ピクセル分の領域へマウスカーソルを移動させると規定範囲１の範囲に入ったこととなる。
【００６４】
同様にして、２番目の優先度の矩形領域として（１２１６，０）−（１２７９，１０２３）とすれば、右辺の上端から下端まで右端から左方に６４ピクセル分の領域へマウスカーソルを移動させると規定範囲２の範囲に入ったこととなる。
同様にして、３番目の優先度の矩形領域として（０，０）−（１２７９，６３）とすれば、上辺の左端から右端まで上端から下方に６４ピクセル分の領域へマウスカーソルを移動させると規定範囲３の範囲に入ったこととなる。
同様にして、４番目の優先度の矩形領域として（０，０）−（６３，１０２３）とすれば、左辺の上端から下端まで左端から右方に６４ピクセル分の領域へマウスカーソルを移動させると規定範囲４の範囲に入ったこととなる。
この例では、四つの辺のそれぞれで異なるメニューを割り当てているが、複数の辺に一つのメニューを割り当てても良い。また、同じ辺でも右側と左側、あるいは上側とした側というように複数の領域を割り当てることもできる。この場合は、それぞれに対応する矩形領域を特定し、優先度を決め、図３に示すようにテーブルに組み込んでおけばよい。なお、優先度の高いものから並べているので、それぞれが重なり合っていても優先度の高いものだけが有効となる。例えば、下辺と右辺の二辺の接する角に向けてマウスカーソルを移動させたときに、角部では規定範囲１と規定範囲２の両方に含まれるものの、下辺に近い規定範囲１の優先度が高いので、下方への移動操作が優先して判定されることになる。むろん、優先度を廃止してマウスカーソルの現在位置が該当する複数の規定範囲に対応させた複数のメニューが表示されるようにしても良い。
【００６５】
上述したように、本実施形態では、四つの規定範囲情報を読み込むので、ステップＳ１００におけるｎ個とは４個に該当する。
ステップＳ１０５では、マウスカーソルの現在位置を検出する。上述したように現在位置はオペレーティングシステムがパラメータとして保持しており、同パラメータを参照することで実現する。
ステップＳ１１０では、変数ｍに数値「０」を設定し、ステップＳ１１５〜Ｓ１２５のループ処理の準備とする。ステップＳ１１５では変数ｍを「１」だけインクリメントし、ステップＳ１２０では同変数ｍの値がループ終了条件である「ｎより大きい」か否かを判断する。ｎと一致するまではステップＳ１２５にてマウス位置が規定範囲ｍ内か判断する。すなわち、取得したマウスカーソルの現在位置がｍで特定される図３に示す規定範囲ｍの矩形領域の範囲に入っているか否かを判断する。この判断は、第一マウス操作手段に相当する。
【００６６】
本実施形態では、マウスの最終位置を移動操作の判定に利用しているが、マウスの移動中に移動方向や移動量を利用して移動操作の種類を判定するようにしても良い。すなわち、一定時間の非移動期間があった場合に、移動開始時の現在位置と移動終了時の現在位置とを用い、移動方向と移動量を判別する。移動方向が所定の角度範囲に入っているか、移動量がしきい値として設定するある量よりも大きいかを判断して所定の第一の移動操作があったか否かの判断結果とする。
【００６７】
むろん、マウスの移動操作はこれらに限定されず、スティックの傾動角度などのアナログ量を利用することも可能である。
マウスの現在位置がある規定範囲の一つに入っていた場合にはループを抜け、ステップＳ１３０にてメインウィンドウの表示モードを読み込む。メインウィンドウとはオペレーティングシステム上で管理する複数の画面の優先順位が一番高いものであり、枠内表示であれば、重ね合わせたときに一番上に表示されるし、全画面表示であればメインウィンドゥだけが全画面で表示されることになる。ここではキャプチャボード２３で生成するテレビ放送画面をメインウィンドウとして表示している。
【００６８】
今、メインウィンドウを全画面表示しているとすると、続くステップＳ１３５で表示モードが全画面モード（全画面表示に相当）か否かを判断する。ここでＹＥＳとの判断がされる場合、全画面表示中、上記第一の移動であると判断されたことに該当する。従って、ステップＳ１４０にて、まず、規定範囲ｍに対応する表示画面サイズを読み込む。今、マウスを下方に移動させ、最終の現在位置が規定範囲１に対応する矩形領域の範囲に入ったとする。規定範囲１にはメニュー１が対応しているが、このメニュー１の表示画面サイズは予め別途用意されているので、ステップＳ１４０ではメニュー１の表示画面サイズを読み込むことになる。メニュー１の場合、画面の下方に、下端と接しつつ左端から右端まで全部を利用する番組表を表示するので、表示画面サイズは左右の幅が１０８０ピクセルで、上下の幅が８４０ピクセルであるとする。むろん、各規定範囲ｍごとに対応するメニューの表示画面サイズを読み込む。
【００６９】
ステップＳ１４５では、表示画面サイズから全画面表示中のウィンドウの縮小サイズを算出する。副画面としてメニュー１を表示する場合、左右については全幅を利用し、上下については下端から６８２ピクセルを利用するので、残余の領域は上下に３４２ピクセル、左右に１２８０ピクセルとなる。この場合、メインウィンドウは１２８０×１０２４ピクセルであったので、残余の領域に縮小しつつも最大限の大きさで表示するためには上下方向の比である３４２：１０２４が縮小比となる。すなわち、３４２／１０２４を掛けることで左右は１２８０×３４２／１０２４＝約４２７ピクセルとなり、縦横の比が維持される。また、メインウィンドウを４２７ピクセル×３４２ピクセルに縮小する縮小サイズが求められる。なお、縮小したメインウィンドウを残余の領域の中央に表示する。すると、この時点で、その位置は（１２８０−４２７）／２＝約４２６ピクセルとなり、左上角は（４２６，０）の座標とすべきことも計算しておく。この結果、主画面の左右に均等に余白が形成される。これは主画面の上下に余白が形成される場合でも全く同様となる。すなわち、縮小表示するメインウィンドウの表示位置の座標を計算しておく。
【００７０】
ステップＳ１５０では、規定範囲ｍに対応する画面を表示する。すなわち、図３に示すようにマウスカーソルの現在位置が含まれる規定範囲ｍに対応して設定されているメニューを、表示位置に示される位置に表示する。規定範囲１に入っている場合は、表示画面の下端に接するようにメニュー１を表示する。規定範囲２に入っている場合は、表示画面の右端に接するようにメニュー２を表示する。規定範囲３に入っている場合は、表示画面の上端に接するようにメニュー３を表示する。規定範囲４に入っている場合は、表示画面の左端に接するようにメニュー４を表示する。
【００７１】
ステップＳ１５０にて副画面を表示した後、ステップＳ１５５では全画面表示中のウィンドウを縮小表示する。すなわち、メインウィンドウとして表示している主画面についてステップＳ１４５にて計算した縮小サイズと表示位置に基づき、主画面を縮小して、表示位置に左上角を基準位置として表示する。なお、ステップＳ１５０とステップＳ１５５での表示に先立ち、全画面表示の画面を黒で消す作業も合わせて行っておく。
【００７２】
以上の処理により、キャプチャボード２３にてテレビ放送画面である主画面を生成し（主画面生成手段、主画面生成機能）、オペレーティングシステムを介して上記主画面をモニタ２２にて全画面表示で表示（全画面表示手段、全画面表示機能）させているとき、同オペレーティングシステムを介してマウス１９の移動操作を検知して、所定の第一の移動であるか否かを判断するとともに（第一マウス操作判断手段、ステップＳ１００〜Ｓ１２５、第一マウス操作判断機能）、上記主画面について全画面表示中か否かを検知し（全画面表示検知手段、ステップＳ１３０，Ｓ１３５、全画面表示検知機能）、全画面表示中、上記第一の移動であると判断されたときに、所定の副画面を画面に表示するとともに、上記主画面を画面の残余の範囲内で全部を表示できるように縮小して表示する（複合表示手段、ステップＳ１４０〜Ｓ１５５、複合表示機能）。
【００７３】
（３）ソフトウェア構成：副画面の非表示
図４は、本発明のコンピュータの画像表示装置の一部を実現するソフトウェアをフローチャートにより示している。
ステップＳ２００では、複合表示中か否かを判断する。複合表示とは、ステップＳ１５０，Ｓ１５５にて副画面と縮小した主画面とで全画面表示を行っている状態を表す。ステップＳ１５０，Ｓ１５５のいずれかにてフラグを設定しておき、ステップＳ２００にて同フラグを参照する等の手法で実現できる。
【００７４】
複合表示中であれば、ステップＳ２０５にて副画面の表示位置と表示画面サイズから残余領域を特定する。残余領域には主画面を縮小表示しているが、主画面の部分以外も含めて残余領域を特定する。規定範囲１の場合であれば、副画面であるメニュー１を下端に接するように表示している。メニュー１の場合は上下が６８２ピクセルで下端に接するように表示することになっているので、残余領域は（０，０）−（１２７９，３４２）の矩形領域となる。副画面を右方に表示するメニュー２の場合、左右の幅が４４０ピクセルであるとすると、右端に接して表示するので、（０，０）−（８３９，１０２３）の矩形領域である。このように残余領域を特定するのは、マウスの移動操作としてこの残余の領域に移動させたときに副画面のメニュー表示をやめ、主画面の全画面表示に復帰させることとしているからである。
【００７５】
ステップＳ２１０では、マウスカーソルの現在位置をオペレーティングシステムのパラメータから取得する。そして、ステップＳ２１５にてマウスカーソルの現在位置が上記残余領域に入っているか否かを判断する。マウスを移動させてマウスカーソルが残余領域にはいるように移動させる移動操作が第二の移動に相当し、ステップＳ２１５にて判断していることになる。むろん、移動操作は適宜変更可能であり、マウスの移動中に移動方向や移動量を利用して移動操作の種類を判定するようにしても良い。
【００７６】
ステップＳ２１５にてＹＥＳと判断された場合はステップＳ２２０にて副画面であるメニューを非表示とし、キャプチャボード２３で生成する主画面を全画面表示させる。
以上の処理により、上記主画面に加えて上記副画面を表示する複合表示中か否かを検知するとともに（複合表示検知手段、ステップＳ２００、複合表示検知機能）、上記マウスの移動操作を検知して、所定の第二の移動であるか否かを判断し（第二マウス操作判断手段、ステップＳ２０５〜ステップＳ２１５、第二マウス操作判断機能）、複合表示中、上記第二の移動であると判断されたときに、上記主画面を全画面表示で表示させる（全画面復帰制御手段、ステップＳ２２０、全画面復帰制御機能）ことになる。
【００７７】
（４）表示内容
図５は、主画面を全画面表示している状態を示している。モニタ２２の表示領域３０を全て使用して主画面３１を表示している。
図６は、マウスカーソルが規定範囲１の領域に含まれたときに副画面であるメニュー１を表示した状態を示している。このような表示となるのは、マウスの移動操作をして表示領域３０の下辺から６４ピクセル内の範囲に移動した場合である。下端から６８２ピクセルの範囲で副画面である番組表３２を表示している。この副画面はタブ形式で番組表の他に予約一覧と録画済み一覧を選択的に表示できる。番組表を表示しているときに録画希望する番組を見つけたらマウスのボタン操作を行うことで同操作を受け付け、録画に必要なデータを生成していくことになる。この操作が録画予約操作となる。録画時刻となっていない録画予約データは予約一覧のタブをクリックすることで番組表のスペースに一覧として表示される。一覧表示に対してマウス操作することで予約を削除したり変更したりすることができる。録画時刻となって録画された番組は録画済み一覧のタブをクリックすることで一覧表示され、さらに一覧表示に対してマウス操作することで録画内容を再生したり削除することができる。
【００７８】
図７は、マウスカーソルが規定範囲２の領域に含まれたときに副画面であるメニュー２を表示した状態を示している。このような表示となるのは、マウスの移動操作をして表示領域３０の右辺から６４ピクセル内の範囲に移動した場合である。右端から４４０ピクセルの範囲で副画面であるチューナの設定画面３３を表示している。この副画面はタブ形式でチューナの設定画面とチャンネル表示を選択的に表示できる。設定画面は各キャプチャボード２３ごとに必要となる設定を行うためのものであり、設定画面を表示しているときに設定を行いたいキャプチャボード（チューナと表示）の欄にマウスのボタン操作を行うことで必要な設定操作を行ない同操作を受け付けていくことになる。この操作が設定画面操作となる。現在放送中で受信可能なチャンネルはチャンネルのタブをクリックすることで設定画面の表示スペースに一覧として表示される。一覧表示に対してマウス操作することでそのチャンネルに切り替えることができる。
【００７９】
図８は、マウスカーソルが規定範囲３の領域に含まれたときに副画面であるメニュー３を表示した状態を示している。このような表示となるのは、マウスの移動操作をして表示領域３０の上辺から６４ピクセル内の範囲に移動した場合である。上端から３４１ピクセルの範囲で副画面であるチューナの色調調整画面３４を表示している。この副画面ではコントラスト、ブライトネス、色調１と色調２のそれぞれについてスライドバーの移動操作による調整が可能であり、同操作を受け付ける。この色調調整の対象となるチューナ（キャプチャボード２３）は現在主画面で表示を行っているものである。
【００８０】
図９は、マウスカーソルが規定範囲４の領域に含まれたときに副画面を表示した状態を示している。このような表示となるのは、マウスの移動操作をして表示領域３０の左辺から６４ピクセル内の範囲に移動した場合である。左端から４４０ピクセルの範囲で副画面である複数のキャプチャボード２３のそれぞれで受信しているテレビ放送の静止画を表示する。この静止画の表示画面が静止画画面３５となる。むろん、副画面で表示するのは主画面を生成しているキャプチャボード２３以外のキャプチャボード２３である。静止画としているのは、処理負荷の軽減を図るためである。静止画は数秒間に一度の割合でキャプチャし直すことで、主には主画面のチャンネルを視聴しつつも、並行して放送されているテレビ放送の気になる場面の近辺で主画面とするキャプチャボード２３を切り替えて主画面とさせるといったことが可能となる。
【００８１】
（５）まとめ
以上、説明したように、本発明によれば、キャプチャボード２３にてテレビ放送画面である主画面を生成し（主画面生成手段）、オペレーティングシステムを介して上記主画面をモニタ２２にて全画面表示で表示（全画面表示手段）させているとき、同オペレーティングシステムを介してマウス１９の移動操作を検知して、所定の第一の移動であるか否かを判断するとともに（第一マウス操作判断手段、ステップＳ１００〜Ｓ１２５）、上記主画面について全画面表示中か否かを検知し（全画面表示検知手段、ステップＳ１３０，Ｓ１３５）、全画面表示中、上記第一の移動であると判断されたときに、所定の副画面を画面に表示するとともに、上記主画面を画面の残余の範囲内で全部を表示できるように縮小して表示する（複合表示手段、ステップＳ１４０〜Ｓ１５５）。
【図面の簡単な説明】
【００８２】
【図１】本発明のコンピュータの画像表示装置が適用されるコンピュータのハードウェア構成を示すブロック図である。
【図２】本発明のコンピュータの画像表示装置の一部を実現するソフトウェアを示すフローチャートである。
【図３】規定範囲の情報を示す図である。
【図４】本発明のコンピュータの画像表示装置の一部を実現するソフトウェアを示すフローチャートである。
【図５】主画面の全画面表示を示す図である。
【図６】主画面と番組表の副画面とからなる複合表示状態を示す図である。
【図７】主画面とチューナの設定画面の副画面とからなる複合表示状態を示す図である。
【図８】主画面とチューナの色調調整画面の副画面とからなる複合表示状態を示す図である。
【図９】主画面と静止画画面の副画面とからなる複合表示状態を示す図である。
【符号の説明】
【００８３】
１１…ＣＰＵ、１２…バス、１３…ＲＡＭ、１４…ＲＯＭ、１５…ハードディスクドライブ、１６…光ディスクドライブ、１７…ヒューマンインターフェイス、１８…キーボード、１９…マウス、２１…グラフィックボード、２２…モニタ、２３…キャプチャボード、３０…表示領域、３１…主画面、３２…番組表、３３…チューナの設定画面、３４…チューナの色調調整画面、３５…静止画画面。
【図１】
2007148783.tif 000003
【図２】
2007148783.tif 000004
【図３】
2007148783.tif 000005
【図４】
2007148783.tif 000006
【図５】
2007148783.tif 000007
【図６】
2007148783.tif 000008
【図７】
2007148783.tif 000009
【図８】
2007148783.tif 000010
【図９】
2007148783.tif 000011